(57)【要約】【課題】  記録媒体の識別時間、再生や記録までの準備時間の更なる短縮を図る。【解決手段】  ＣＰＵユニット３０４は、設定される制御動作モードを識別し、ＤＶＤディスクドライブ制御回路３１０は、上記の識別結果に応じて、データの記録又は再生対象となるディスクメディア３１１の識別処理を切り替えて実行する。【選択図】  図３
2007012185.tif 000002
【特許請求の範囲】
【請求項１】
記録媒体に対して情報データを記録再生する記録再生手段と、
前記記録媒体に対して情報データを記録する記録モードと、前記記録媒体より情報データを再生する再生モードのうちの一方を選択するモード選択手段と、
前記記録媒体の種類を識別すると共に、装置の状態を前記情報データの記録または再生に適した状態に設定する識別手段と、
前記モード選択手段により設定されたモードに応じて前記識別手段による処理手順を変更する制御手段とを備えることを特徴とする記録再生装置。
【請求項２】
前記記録媒体は光ディスク媒体を含み、前記記録再生手段は前記光ディスク媒体に対してレーザビームを照射することにより前記情報データを記録再生し、前記制御手段は、前記記録モードが設定された場合には前記識別手段による前記レーザビームのパワー調整処理を実行し、前記再生モードが設定された場合には前記パワー調整処理を禁止することを特徴とする請求項１に記載の記録再生装置。
【請求項３】
前記情報データは動画像データを含み、前記動画像データを出力する撮像手段を備えたことを特徴とする請求項１に記載の記録再生装置。
【請求項４】
前記制御手段は更に、前記情報データの記録データレートに応じて前記識別手段による処理手順を変更することを特徴とする請求項１に記載の記録再生装置。
【請求項５】
記録媒体に対して情報データを記録再生する記録再生装置の制御方法であって、
前記記録媒体に対して情報データを記録する記録モードと、前記記録媒体より情報データを再生する再生モードのうちの一方を選択するモード選択ステップと、
前記モード設定ステップにより設定されたモードに応じて、前記記録媒体の種類を識別すると共に、装置の状態を前記情報データの記録または再生に適した状態に設定する識別手段による処理手順を変更する制御ステップとを備えることを特徴とする記録再生装置の制御方法。
【請求項６】
請求項５に記載の記録再生装置の制御方法をコンピュータに実行させるためのプログラム。
【請求項７】
請求項６に記載のプログラムを記録したコンピュータ読み取り可能な記録媒体。
【発明の詳細な説明】
【技術分野】
【０００１】
本発明は、例えばＤＶＤ−ＲやＤＶＤ−ＲＷ等の記録媒体に対するデータの記録及び再生が可能な記録再生装置及びその制御方法に関するものである。
【背景技術】
【０００２】
従来、動画像を撮影して磁気テープに記録するビデオカメラが知られている。また、近年では、磁気テープに代わり、光ディスク媒体であるＤＶＤに対して動画像データを記録再生するディスクビデオカメラが登場している。
【０００３】
磁気テープと異なり、ＤＶＤには様々な種類が存在する。現在、追記型のディスクであるＤＶＤ−Ｒ、繰り返し書き替え可能なＤＶＤ−ＲＷ、ＤＶＤ−ＲＡＭを使用するビデオカメラが存在している。そして、今後、ＤＶＤ＋ＲやＤＶＤ＋ＲＷなども使用可能となることが考えられる。
【０００４】
これらのＤＶＤディスクでは、記録データのフォーマットが互いに異なっている。そのため、この様に様々な種類のＤＶＤディスクに対して画像データを記録可能なディスクビデオカメラにおいては、ディスクの装着時や電源投入時などに、現在装着されているディスクの種類を識別し、各ディスクに従ったフォーマットで画像データを記録する必要がある。ディスクに記録されている情報を再生することによりＤＶＤディスクの種類を認識可能であるが、ディスクよりデータを安定して再生出来るまでには、準備動作や準備処理も必要となる。
【０００５】
更に、ディスクごとの個体差により、データを記録する際の最適なレーザパワー値が異なるため、ディスクの装着時や電源投入時にはレーザパワーの調整処理も実行している。具体的には、レーザパワー調整のための制御パラメータを変えながらディスク上に調整用データを試し書きした後これを読み取って再生データの状態を確認する動作を繰り返し行い、最適なレーザパワーを学習する。
【０００６】
この様に、ディスク装着に伴う認識処理とレーザパワー調整処理のため、現在数十秒程度の時間が必要となっている。認識を待つ間、ユーザは記録も再生も行うことができない。そのため、認識処理やレーザ調整のための時間を減らすための構成が提案されている（例えば、特許文献１参照）。
【０００７】
【特許文献１】特開２００３−１７８４４５号公報
【発明の開示】
【発明が解決しようとする課題】
【０００８】
特許文献１に開示される発明によれば、ディスクの認識時間の短縮を図ることができるが、ビデオカメラ用途を考慮した更なる時間短縮の余地がある。
【０００９】
そこで、本発明の目的は、記録媒体の識別時間、再生や記録までの準備時間の更なる短縮を図ることにある。
【課題を解決するための手段】
【００１０】
本発明の記録再生装置は、記録媒体に対して情報データを記録再生する記録再生手段と、前記記録媒体に対して情報データを記録する記録モードと、前記記録媒体より情報データを再生する再生モードのうちの一方を選択するモード選択手段と、前記記録媒体の種類を識別すると共に、装置の状態を前記情報データの記録または再生に適した状態に設定する識別手段と、前記モード選択手段により設定されたモードに応じて前記識別手段による処理手順を変更する制御手段とを備えることを特徴とする。
本発明の記録再生装置の制御方法は、記録媒体に対して情報データを記録再生する記録再生装置の制御方法であって、前記記録媒体に対して情報データを記録する記録モードと、前記記録媒体より情報データを再生する再生モードのうちの一方を選択するモード選択ステップと、前記モード設定ステップにより設定されたモードに応じて、前記記録媒体の種類を識別すると共に、装置の状態を前記情報データの記録または再生に適した状態に設定する識別手段による処理手順を変更する制御ステップとを備えることを特徴とする。
本発明のプログラムは、前記記録再生装置の制御方法をコンピュータに実行させることを特徴とする。
本発明のコンピュータ読み取り可能な記録媒体は、前記プログラムを記録したことを特徴とする。
【発明の効果】
【００１１】
本発明によれば、情報データの記録モード及び情報データの再生モードのうちの何れか設定されたモードに応じて記録媒体の識別処理の処理手順を切り替えるように構成したので、例えば制御動作モードに対応して必要十分な記録媒体の識別処理を実行することが可能となり、記録媒体の識別時間、再生や記録までの準備時間の短縮を図ることができる。
【発明を実施するための最良の形態】
【００１２】
以下、本発明を適用した好適な実施形態を、添付図面を参照しながら詳細に説明する。
【００１３】
−第１の実施形態−
先ず、本発明の第１の実施形態について説明する。図３は、本発明の実施形態に係るＤＶＤビデオカメラの構成を示すブロック図である。３０１はレンズを含むカメラユニット、３０２は撮像画像や再生画像並びに機器情報を表示するＬＣＤモニタ、３０３は画像を記録再生する為の画像圧縮／解凍処理を行うコーディックユニット、３０４はシステムコントロール用のＣＰＵユニット、３０５は操作キー回路、３０６、３０９はＡＴＡＰＩ通信回路、３０７は記録画像データの流れ、３０８はドライブユニット部３１３の制御回路と通信し、コマンドとステータス情報を交換する制御データの流れを示す。制御データの情報内容として撮影を主体にしたカメラモードなのか、再生を主体にしたＰＢモードなのかを示す電源モード情報が含まれている。３１０はＤＶＤディスクドライブメカニズムとその制御回路（以下、これらをＤＶＤディスクドライブ制御回路と称す）、３１１は使用するＤＶＤメディアを示す。ＤＶＤディスクドライブ制御回路３１０は、不図示のピックアップユニットによってディスク３１１上にレーザビームを照射し、データを記録再生する。３１２は、ドライブユニット部３１３に対する画像及び音声情報を圧縮伸張するコーディックユニット３０３とシステム全体を制御するＣＰＵユニット３０４を含むバックエンドユニット部を示す。３１４はバックエンドユニット部３１２とドライブユニット部３１３との間で画像情報及び制御データを通信するＡＴＡＰＩインタフェース規格に対応したパラレル通信を示している。
【００１４】
図２は、本実施形態に係るＤＶＤビデオカメラに装備されたメイン電源ダイヤルスイッチを示す図である。２０１はメインダイヤル、２０２はカメラモードの設定位置、２０３はメイン電源ＯＦＦの設定位置、２０４は再生（ＰＢ）モードの設定位置である。
【００１５】
このメイン電源ダイヤルスイッチをユーザが操作し、電源ＯＦＦ状態からカメラモードを選択して撮影関連の機能を実行するか、または、ＰＢモードを選択して画像再生関連の機能を実行するか、を決定する。カメラモードで実行可能な機能とＰＢモードで実行可能な機能については、一般的なテープメディアを使用したカムコーダと同様である。その他の詳細の説明は省略するが、ディスクメディアを使用する特徴として、多種多様なメディアの種類が存在し、再生のみ対応するメディアがある点が特徴である。本実施形態では、ＤＶＤ−ＲとＤＶＤ−ＲＷでの撮影と再生に対応し、さらにＤＶＤ−ＲＡＭメディアは再生のみ対応するメディアとして機能が搭載されている。
【００１６】
図１は、本発明の実施形態に係るＤＶＤビデオカメラの動作を示すフローチャートである。ステップＳ１００は、メイン電源がＯＦＦ状態（図２の２０３）でメディアがドライブに新規装着された状態を示している。ステップＳ１０１は、ユーザがＤＶＤビデオカメラを使用するためにメイン電源スイッチを操作した動作を意味し、ステップＳ１０２は、メイン電源スイッチ２０１がカメラモード（図２の２０２）とＰＢモード（図２の２０４）のどちらに設定されたのかを検出する操作キーポジションの認識による電源モード判別処理である。
【００１７】
ＣＰＵユニット３０４は、ステップＳ１０２の電源モード判別処理によって現在、カメラモードに設定されていると判断すると、処理をステップＳ１０３に移行させる。ステップＳ１０３では、カメラモードにおけるシステム起動処理を行うとともに、撮影又は記録条件の設定パラメータをバックアップメモリから読み出し、設定通りの動作となるように所定のレジスタ設定を実施するとともに、設定モード識別情報としてカメラモードに設定された旨を示す情報及びカメラモード時に必要なメディア認識処理の項目情報をドライブユニット部３１３に対して送信する。
【００１８】
続くステップＳ１０４では、ＤＶＤディスクドライブ制御回路３１０は、バックエンドユニット部３１２から受信した設定モード識別情報に基づいて、カメラモード専用のメディアの認識処理を行う。本実施形態では、カメラモード専用のメディア認識処理としてＤＶＤ−Ｒ、ＤＶＤ−ＲＷについての記録と再生対応のためのメディア認証処理を行う。ステップＳ１０５では、ＤＶＤディスクドライブ制御回路３１０は、撮影した画像を記録する為のメディアのファイルシステム情報とコンテンツ管理情報を読み出して、ＲＡＭに展開するマウント処理を実行する。
【００１９】
ステップＳ１０６では、ＣＰＵユニット３０４は、カメラモード時のカメラユニット３０１の設定、ＡＦ／ＡＥ等のレンズ制御、撮像画像のＬＣＤモニタ３０２上に表示する情報の生成と表示制御等を含むセットアップ処理を実行する。ステップＳ１０７はセットアップ処理を完了した後の撮影スタンバイ状態であり、ユーザの撮影操作を待っている状態を示している。
【００２０】
一方、ステップＳ１０２の電源モード判別処理によって現在、ＰＢモードに設定されていると判断されると、処理はステップＳ１０２からステップＳ１０８に移行する。ステップＳ１０８では、ＣＰＵユニット３０４は、ＰＢモードにおけるシステム起動処理を行うとともに、再生動作向けの設定パラメータをバックアップメモリから読み出し、設定通りの動作となるように所定のレジスタ設定を実施するとともに、設定モード識別情報としてＰＢモードに設定された旨を示す情報及びＰＢモード時に必要なメディア認識処理の項目情報をドライブユニット部３１３に対して送信する。
【００２１】
続くステップＳ１０９では、ＤＶＤディスクドライブ制御回路３１０は、バックエンドユニット部３１２から受信した設定モード識別情報に基づいて、ＰＢモード専用のメディアの認識処理を行う。本実施形態では、ＰＢモード専用のメディア認証処理としてＤＶＤ−Ｒ、ＤＶＤ−ＲＷ及びＤＶＤ−ＲＡＭの再生に必要なメディア認証処理を実行する。ステップＳ１１０では、ＤＶＤディスクドライブ制御回路３１０は、再生する為のメディアのファイルシステム情報とコンテンツ管理情報を読み出して、ＲＡＭに展開するマウント処理を行う。
【００２２】
ステップＳ１１１では、ＣＰＵユニット３０４は、ＰＢモード時の設定と再生表示のＬＣＤモニタ３０２上に表示する情報の生成と表示制御等を含むセットアップ処理を行う。ステップＳ１１２は、セットアップ処理を完了した後の複数のサムネイル画像をクリップ単位で一画面に６枚表示する所謂サムネイル画面表示状態を意味し、ユーザがサムネイルを選択し再生実行操作を行うことで再生が開始される為の再生実行操作を待っている状態を示している。
【００２３】
従来のメディア認識処理は、ステップＳ１０２のメイン電源スイッチによる電源モード判別処理の結果によらず、カメラモードとＰＢモードで共通のメディア認識処理フローを実行していた。このため、カメラモードであっても再生互換性を広げたメディア（ＤＶＤ−ＲＡＭメディアの再生のみ対応など）の認識を実行する無駄時間があり、また、ＰＢモードでは不要な記録動作の為の学習処理が実行されることによる無駄時間が発生していた。
【００２４】
これに対して本実施形態では、図１に示すように、電源モード判別処理の後に、それぞれの電源モードで実行する機能に対応して必要なメディア認識処理の項目をステップＳ１０３とステップＳ１０８の起動処理でそれぞれ設定し、各電源モード専用のメディア認識処理を実行するように制御回路に指示し、その結果、各モードで実行可能な装置の動作によって必要十分なメディア認識のみ実行する専用フローを実行可能としたことで、それぞれの電源モードに最適な認識が必要十分な時間で完了させることができる。なお、ディスク種類の具体的な判別方法は、公知の方法を用いることができる。
【００２５】
従来のシステムに対して本実施形態の特徴は、ＡＴＡＰＩインタフェースによりバックエンドユニット部３１２とドライブユニット部３１３との間の通信情報の中に設定モード識別情報を含めた点である。この設定モード識別情報によりドライブユニット部３１３側では、メディア認識の処理内容をカメラモードとＰＢモードで専用にドライブユニット部３１３側で複数選択できるようになった。上述したように、本実施形態では、カメラモードでは、レーザパワーの学習処理を含む、ＤＶＤ−Ｒ、ＤＶＤ−ＲＷについての記録と再生対応の為のメディア認識処理を実施する。また、ＰＢモードにおいては、ＤＶＤ−ＲとＤＶ−ＲＷ及びＤＶＤ−ＲＡＭの再生に必要なメディア認識処理を実行し、レーザビームのパワーの調整など、記録の為の学習処理の実行を禁止する。
【００２６】
以上説明したように、複数の電源モードを装備し、それに応じた情報をドライブユニット部３１３に通信で転送することで、各電源モードで実行可能な製品機能に対応した必要十分なメディア認識処理が可能となり、短時間でのセットアップ動作完了が可能となった。
【００２７】
−第２の実施形態−
次に、本発明の第２の実施形態について説明する。上述した第１の実施形態では、カメラモードとＰＢモードの両電源モード状態にそれぞれ対応して記録対応のメディア認識と再生互換対応のメディア認識として各所定のメディア認識フローを実行するのに対して、さらに両電源モードにおける機能動作で使われる各種設定パラメータ情報も加味した各メディア認識フローを実行することも可能である。
【００２８】
カメラモードでは撮影する画像の画質設定として、コーディックユニットでＭＰＥＧ２方式での画像圧縮方式が使用されるが、このときの記録データのデータレート設定状態により必要となるメディアの書き込み速度が重要となる。特にＨＤ−ＴＶ対応化も含めた場合は、ｘ２速メディアでは記録レート的に不足する場合があり、ｘ４倍速での記録が可能なメディアが必要となるが、そのためにはｘ４倍速対応のメディアを装着するだけでなく、ｘ４倍速メディアとしての記録制御の為の学習動作も必要となる。
【００２９】
メディア認識の処理フローとして、ｘ２とｘ４の両方に対応する為の検出や学習処理が増えることでより長いの検出時間が必要となってしまう。このようなことから本発明の第２の実施形態としては、電源モードだけでなくさらに、記録レート設定でメディアの記録速度対応力情報のチェックと、ビデオ記録論理フォーマットの種類で対応可能なメディアの物理規格の種類を認識処理フローに反映させてさらに細かな分類を認識処理に適用することも可能である。
【００３０】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３１】
この場合、記憶媒体から読み出されたプログラムコード自体が前述した実施形態の機能を実現することになり、プログラムコード自体及びそのプログラムコードを記憶した記憶媒体は本発明を構成することになる。
【００３２】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３３】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００３４】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００３５】
【図１】本発明の実施形態に係るＤＶＤビデオカメラの動作を示すフローチャートである。
【図２】本実施形態に係るＤＶＤビデオカメラに装備されたメイン電源ダイヤルスイッチを示す図である。
【図３】本発明の実施形態に係るＤＶＤビデオカメラの構成を示すブロック図である。
【符号の説明】
【００３６】
２０１  メインダイヤル
２０２  カメラモードの設定位置
２０３  メイン電源ＯＦＦの設定位置
２０４  ＰＢモードの設定位置
３０１  カメラユニット
３０２  ＬＣＤモニタ
３０３  コーディックユニット
３０４  ＣＰＵユニット
３０５  操作キー回路
３０６、３０９  ＡＴＡＰＩ通信回路
３０７  記録画像データの流れ
３０８  制御データの流れ
３１０  ＤＶＤディスクドライブ制御回路
３１１  ディスクメディア
３１２  バックエンドユニット部
３１３  ドライブユニット部
３１４  ＡＴＡＰＩインタフェース規格に対応したパラレル通信
【図１】
2007012185.tif 000003
【図２】
2007012185.tif 000004
【図３】
2007012185.tif 000005